(57)【要約】【課題】予約された日時に限り、画像表示装置から表示させる表示用データにアクセスすることができる。【解決手段】情報処理装置（情報処理端末２０およびスケジュール管理装置３０）と、プロジェクタ１０と、が接続されてなり、情報処理装置から入力される投影用ファイルをプロジェクタ１０にて表示させる画像表示システム１において、情報処理装置は、投影用ファイルと、該投影用ファイルを使用する日時を示す予約日時情報と、をプロジェクタ１０に送信する送信手段２２，３３を備え、プロジェクタ１０は、情報処理装置から送信される投影用ファイルと予約日時情報を記憶する記憶手段１２と、現在の日時を取得する時刻管理手段１４と、投影用ファイルへのアクセスがあった場合に、現在の日時が予約日時情報に一致するか否かを判断し、一致した場合に投影用ファイルへのアクセスを許可する認証手段１５と、を備える。【選択図】図３
2016081451.tif 000002
【特許請求の範囲】
【請求項１】
情報処理装置と画像表示装置が接続されてなり、前記情報処理装置から入力される表示用データを前記画像表示装置にて表示させる画像表示システムにおいて、
前記情報処理装置は、
前記表示用データと、該表示用データを使用する日時を示す予約日時情報と、を前記画像表示装置に送信する送信手段を備え、
前記画像表示装置は、
前記情報処理装置から送信される前記表示用データと前記予約日時情報を記憶する記憶手段と、
現在の日時を取得する時刻管理手段と、
前記表示用データへのアクセスがあった場合に、前記現在の日時が前記予約日時情報に一致するか否かを判断し、一致した場合に前記表示用データへのアクセスを許可する認証手段と、を備える
ことを特徴とする画像表示システム。
【請求項２】
前記画像表示装置が複数であって、
前記情報処理装置は、スケジュール管理装置と情報処理端末とからなり、
前記予約日時情報は、前記情報処理端末から前記スケジュール管理装置を介して、前記複数の画像表示装置から指定された画像表示装置に対して送信され、
前記スケジュール管理装置は、前記複数の画像表示装置についての予約日時情報を管理するスケジューリング手段を備えることを特徴とする請求項１に記載の画像表示システム。
【請求項３】
前記表示用データは、前記情報処理端末から前記スケジュール管理装置を介して、または、前記情報処理端末から直接、前記指定された画像表示装置に送信されることを特徴とする請求項２に記載の画像表示システム。
【請求項４】
前記認証手段は、前記現在の日時が前記予約日時情報に一致した場合に、予め設定されたパスワードの入力を要求し、設定されたパスワードと入力されたパスワードが一致した場合に前記表示用データへのアクセスを許可することを特徴とする請求項１から３までのいずれかに記載の画像表示システム。
【請求項５】
前記認証手段は、前記現在の日時が前記予約日時情報に一致した場合と、一致しない場合とで、前記表示用データに対して可能な操作内容を切り替えることを特徴とする請求項１から４までのいずれかに記載の画像表示システム。
【請求項６】
前記画像表示装置は、前記予約日時情報に該当する日時以外に、前記表示用データへのアクセス可能な条件を設定することを特徴とする請求項１から５までのいずれかに記載の画像表示システム。
【請求項７】
前記画像表示装置は、前記予約日時情報に基づいて、予約日時経過後に前記記憶手段に記憶された前記表示用データを削除することを特徴とする請求項１から６までのいずれかに記載の画像表示システム。
【請求項８】
情報処理装置と接続されて、該情報処理装置から入力される表示用データを表示させる画像表示装置において、
前記情報処理装置から送信される前記表示用データと該表示用データを使用する日時を示す予約日時情報を記憶する記憶手段と、
現在の日時を取得する時刻管理手段と、
前記表示用データへのアクセスがあった場合に、前記現在の日時が前記予約日時情報に一致するか否かを判断し、一致した場合に前記表示用データへのアクセスを許可する認証手段と、を備える
ことを特徴とする画像表示装置。
【請求項９】
情報処理装置と画像表示装置が接続されてなり、前記情報処理装置から入力される表示用データを前記画像表示装置にて表示させる画像表示方法において、
前記情報処理装置は、
前記表示用データと、該表示用データを使用する日時を示す予約日時情報と、を前記画像表示装置に送信する送信処理を行い、
前記画像表示装置は、
前記情報処理装置から送信される前記表示用データと前記予約日時情報を記憶する記憶する記憶処理と、
現在の日時を取得する時刻管理処理と、
前記表示用データへのアクセスがあった場合に、前記現在の日時が前記予約日時情報に一致するか否かを判断し、一致した場合に前記表示用データへのアクセスを許可する認証処理と、を行う
ことを特徴とする画像表示方法。
【発明の詳細な説明】
【技術分野】
【０００１】
本発明は、画像表示システム、画像表示装置および画像表示方法に関する。
【背景技術】
【０００２】
被投影面に画像を表示、投影させる画像表示装置として広く知られたプロジェクタは、多人数に対するプレゼンテーションや会議、サイネージなどに広く用いられているとともに、液晶パネルの高解像化、ランプの高効率化に伴う明るさの改善、低価格化などが進んでいる。例えば、ＤＭＤ（Digital  Micro-mirror  Device）を利用した小型軽量な画像投影装置が普及し、オフィスや学校のみならず家庭においても広くこれら画像投影装置が利用されるようになってきている。また、スクリーンまでの投影距離を短くした、短焦点型の画像投影装置の開発が盛んである。
【０００３】
なお、以下、本明細書において「会議」とは、いわゆる会社などでの会議に限るものではなく、講演、授業、講義、その他プレゼンテーションなど、画像表示装置を利用して、ユーザに対して画像を表示させる場面をすべて含む意味にて使用するものとする。
【０００４】
また、画像表示装置とパーソナルコンピュータ（以下、ＰＣ）などの情報処理装置が無線または有線ＬＡＮ等のネットワークにて接続された画像表示システムにおいて、画像表示装置が、情報処理装置から表示用データ（投影用ファイルともいう）を受信し、該投影用ファイルを画像表示装置にて記憶するとともに、画像表示装置から投影する技術が知られている。
【０００５】
また、投影用ファイルをパスワードにて保護する技術も知られている。例えば、特許文献１には、データの秘匿性を保持しつつプロジェクタにデータを格納し、かつデータの秘匿性を維持しつつ格納されたデータを投写表示する画像表示システムであって、パーソナルコンピュータからプロジェクタへの投影用のファイルの転送要求が発生すると、パスワードの設定を要求し、設定されたパスワードとファイルとを関連付けてプロジェクタの外部記憶装置に転送するとともに、プロジェクタにおいてファイルを再生する場合には、ファイルに関連付けられたパスワードの入力を要求し、入力されたパスワードと設定されたパスワードとが符合した場合にファイルの再生を実行する画像表示システムが開示されている。
【発明の概要】
【発明が解決しようとする課題】
【０００６】
しかしながら、会議において、投影用ファイルを作成して実際のプレゼンテーションなどを行う人と、会議を準備、設営する人とが異なる場合、準備をする人がパスワードを知らないため投影用ファイルにアクセスして表示等させることができず、不便であるという要望があった。一方で、いつでも誰でも投影用ファイルにアクセス可能としてしまうことは、情報漏えい等の観点から好ましくない。
【０００７】
そこで本発明は、予約された日時に限り、画像表示装置から表示させる表示用データにアクセスすることができる画像表示システムを提供することを目的とする。
【課題を解決するための手段】
【０００８】
かかる目的を達成するため、本発明に係る画像表示システムは、情報処理装置と画像表示装置が接続されてなり、前記情報処理装置から入力される表示用データを前記画像表示装置にて表示させる画像表示システムにおいて、前記情報処理装置は、前記表示用データと、該表示用データを使用する日時を示す予約日時情報と、を前記画像表示装置に送信する送信手段を備え、前記画像表示装置は、前記情報処理装置から送信される前記表示用データと前記予約日時情報を記憶する記憶手段と、現在の日時を取得する時刻管理手段と、前記表示用データへのアクセスがあった場合に、前記現在の日時が前記予約日時情報に一致するか否かを判断し、一致した場合に前記表示用データへのアクセスを許可する認証手段と、を備えるものである。
【発明の効果】
【０００９】
本発明によれば、予約された日時に限り、画像表示装置から表示させる表示用データにアクセスすることができるようにして、セキュリティと利便性を兼ね備えた画像表示システムとすることができる。
【図面の簡単な説明】
【００１０】
【図１】画像表示システムのシステム構成の一例を示す概略図である。
【図２】画像表示装置の一例であるプロジェクタを示す構成図である。
【図３】画像表示システムの機能ブロック図である。
【図４】スケジュール管理装置で記憶されるスケジュール管理情報の一例を示す説明図である。
【図５】プロジェクタで記憶されるスケジュール管理情報の一例を示す説明図である。
【図６】投影用ファイルを投影する画像表示処理のフローチャートの一例である。
【図７】プロジェクタで記憶されるスケジュール管理情報の他の例を示す説明図である。
【図８】投影用ファイルを投影する画像表示処理のフローチャートの他の例である。
【図９】（Ａ）プロジェクタで記憶されるスケジュール管理情報の他の例を示す説明図、（Ｂ）はアクセスレベルとアクセスレベルごとに可能な操作内容の例を示す一覧表である。
【図１０】投影用ファイルを投影する画像表示処理のフローチャートの他の例である。
【図１１】画像表示システムの機能ブロック図の他の例である。
【発明を実施するための形態】
【００１１】
以下、本発明に係る構成を図１から図１１に示す実施の形態に基づいて詳細に説明する。
【００１２】
［第１の実施形態］
本実施形態に係る画像表示システムは、情報処理装置（情報処理端末２０およびスケジュール管理装置３０）と画像表示装置（プロジェクタ１０）が接続されてなり、情報処理装置から入力される表示用データ（投影用ファイル）を画像表示装置にて表示させる画像表示システム（画像表示システム１）において、情報処理装置は、表示用データと、該表示用データを使用する日時を示す予約日時情報と、を画像表示装置に送信する送信手段（送受信手段２２，３３）を備え、画像表示装置は、情報処理装置から送信される表示用データと予約日時情報を記憶する記憶手段（記憶手段１２）と、現在の日時を取得する時刻管理手段（時刻管理手段１４）と、表示用データへのアクセスがあった場合に、現在の日時が予約日時情報に一致するか否かを判断し、一致した場合に表示用データへのアクセスを許可する認証手段（認証手段１５）と、を備えるものである。なお、括弧内は実施形態での符号、適用例を示す。
【００１３】
（画像表示システムの構成）
先ず、画像表示システムについて説明する。図１は、画像表示システムのシステム構成の一例を示す概略図である。この画像表示システム１は、画像表示装置であるプロジェクタ１０と、情報処理端末２０と、スケジュール管理装置３０と、が無線／有線ＬＡＮなどのネットワーク４０を介して接続されている。
【００１４】
プロジェクタ１０は、ネットワーク４０を介して接続された情報処理端末２０から直接、またはスケジュール管理装置３０を介して送信された投影用ファイルを被投影面であるスクリーンなどに投影表示する。なお、プロジェクタ１０と情報処理端末２０とは、Ｄ−ＳＵＢケーブルやＨＤＭＩ（登録商標）ケーブルなどの映像ケーブルで接続されるものであってもよい。
【００１５】
情報処理端末２０は、例えば、ノート型パーソナルコンピュータ、スマートフォンなどで構成される。情報処理端末２０は、プロジェクタ１０およびスケジュール管理装置３０とネットワーク４０を介して接続されており、会議の日時や場所などの予約を行うことができるユーザの操作用端末である。また、プロジェクタ１０が複数台ある場合、会議で使用するプロジェクタ１０の予約も行う。また、プロジェクタ１０から投影するための投影用データの作成、プロジェクタ１０への送信などを行う。
【００１６】
スケジュール管理装置３０は、プロジェクタ１０および情報処理端末２０とネットワーク４０を介して接続されており、プロジェクタ１０の使用状況、すなわち、会議の開催状況を管理している。このプロジェクタ１０、会議の開催状況の管理として、会社などで他の用途でも用いられているスケジューラ（スケジュール管理システム）の機能を用いるようにしてもよい。スケジュール管理装置３０は、情報処理端末２０での操作内容に基づいて、会議の日時、場所、参加者、プロジェクタ１０の予約などの予約を行う。また、情報処理端末２０から送信された投影用ファイルをプロジェクタ１０へ転送する。
【００１７】
（画像表示装置の構成）
次に、画像表示装置について説明する。図２は、画像表示装置の一例であるプロジェクタ１０を示す構成図である。
【００１８】
プロジェクタ１０は、外部Ｉ／Ｆ部１００、システム制御部１０１、音声処理部１０２、スピーカー１０３、映像処理部１０４、光学ユニット制御部１０５、光学ユニット１０６、光源制御部１０７、光源１０８、電源制御部１０９、電源１１０、操作部１１１、リモコン受信部１１２、記憶部１１３、ファン制御部１１４、およびファン１１５等を備えている。
【００１９】
外部Ｉ／Ｆ部１００は、電子機器との間で各種情報を入出力するためのインターフェースであって、外部Ｉ／Ｆ部１００を介して、映像出力機器等と接続されることで画像データや音声データを含む各種情報の入出力（送受信）を行う。
【００２０】
また、外部Ｉ／Ｆ部１００は、画像データや画像データの制御情報等の送受信を行うための映像ポート１００１と、音声データや音声データの制御情報等の送受信を行うための音声ポート１００２と、ＵＳＢ（Universal Serial Bus）端子と接続された電子機器と各種情報を送受信するためのＵＳＢポート１００３と、ネットワークへ接続しＬＡＮ接続された電子機器と各種情報を送受信するためのＬＡＮポート１００４（無線ＬＡＮポート等でもよい）と、を有している。
【００２１】
システム制御部１０１は、プロジェクタ１０を構成する他の各部を制御する。システム制御部１０１は、ＣＰＵ（Central Processing Unit）１０１１と、ＲＯＭ（Read Only Memory）１０１２と、ＲＡＭ（Random Access Memory）１０１３と、により構成される。
【００２２】
ＣＰＵ１０１１は、ＲＯＭ１０１２やシステム制御部１０１に記憶された各種プログラムに従って、各種制御や機能を実現する演算装置である。また、ＲＯＭ１０１２は、プロジェクタ１０で実行可能な各種プログラムや、これらの各種プログラムを実行する際に使用される各種データ、およびＣＰＵ１０１１の演算処理結果などを記憶する不揮発性の半導体メモリ（記憶装置）である。また、ＲＡＭ１０１３は、ＣＰＵ１０１１によって実行される各種プログラムなどを展開するためのプログラム格納領域や、各種入出力データや各種プログラムの実行結果などを格納するデータ格納領域などを備える揮発性の半導体メモリである。
【００２３】
音声処理部１０２は、外部Ｉ／Ｆ部１００を介して入力された音声データのうち、音量調整や音質調整等の処理を行う。音声処理部１０２は、入力された音声データに対して音量調整や音質調整等の処理を行った後、この処理後の音声データをスピーカー１０３や音声出力ポートに出力する。
【００２４】
スピーカー１０３は、音声処理部１０２から入力された音声データに従って、音声を出力する音声出力装置である。なお、スピーカー１０３は、プロジェクタ１０に内蔵されている内蔵型のスピーカーでもよいし、例えば、音声出力ポートを介してケーブルやネットワークなどに接続される外部機器のスピーカーでもよい。
【００２５】
映像処理部１０４は、外部Ｉ／Ｆ部１００を介して入力された画像データに対して、システム制御部１０１が適切に扱えるよう各種処理を行う。映像処理部１０４は、入力された画像データに対して各種処理を行った後、この処理後の画像データをＲＡＭ１０１３やバッファメモリ等に出力する。
【００２６】
光学ユニット制御部１０５は、光学ユニット１０６を制御して、映像処理部１０４からＲＡＭ１０１３やバッファメモリ等に出力された画像データの投影を行う。光学ユニット１０６は、レンズ、ミラーなどの光学部品から構成されるユニットである。
【００２７】
光源制御部１０７は、システム制御部１０１からの指示に基づき、光源１０８の点灯や消灯などを制御する。光源１０８は、例えば、高圧水銀ランプ、キセノンランプなどである。
【００２８】
電源制御部１０９は電源１１０を制御する。電源１１０はプロジェクタ１０に電力を供給する。
【００２９】
操作部１１１は、ユーザからの各種操作入力を受け付け、システム制御部１０１を介して、操作入力に対応する機能を実現させる。操作部１１１は、例えばカーソルキーや文字／数字キー、各種機能キー等からの入力を受けつけることが可能である。
【００３０】
リモコン受信部１１２はリモコンなど遠隔からの各種操作入力を受け付け、システム制御部１０１を介して、操作入力に対応する機能を実現させる。リモコン受信部１１２は、例えば赤外線方式のリモコンからカーソルキーや文字／数字キー、各種機能の入力をつけつけることが可能である。
【００３１】
記憶部１１３は、例えばＥＥＰＲＯＭ（Electrically Erasable Programmable ROM）等の不揮発性の半導体メモリである。記憶部１１３は、プロジェクタ１０が実行可能な各種プログラムやこれらの各種プログラムを実行する際に使用される各種データ等を記憶する。各種データとは、例えばプロジェクタ１０に設定された設定値などである。なお、記憶部１１３は、例えばＨＤ（Hard Disk）などの記憶装置であってもよい。また、記憶部１１３は、例えばプロジェクタ１０とＬＡＮポート１００４やＵＳＢポート１００３などを介して接続される外付けの記憶装置であってもよい。
【００３２】
ファン制御部１１４は、ファン１１５を制御する。ファン１１５は、本体もしくは部品を冷却したり、排熱したりするためのものである。
【００３３】
（画像表示システムの機能）
次に、画像表示システム１の機能について説明する。図３は、画像表示システム１の機能ブロック図であって、投影用ファイルを投影する画像表示処理に係る部分の構成を示すものである。
【００３４】
情報処理端末２０は、操作手段２１、および送受信手段２２を備えている。操作手段２１は、情報処理端末２０からスケジュール管理装置３０への会議のスケジュール登録や、スケジュール管理装置３０を介してプロジェクタ１０へ投影用ファイルの送信等を行う際のインターフェースである。操作手段２１は、マウスやキーボードなど操作部と、ディスプレイなどの表示部から構成される。
【００３５】
送受信手段２２は、投影用ファイルをスケジュール管理装置３０に対して送信する。なお、本実施形態では、投影用ファイルは、情報処理端末２０からスケジュール管理装置３０に送信され、スケジュール管理装置３０からプロジェクタ１０へ転送される場合を例に説明するが、情報処理端末２０から直接プロジェクタ１０へ送信されるものであってもよい。
【００３６】
スケジュール管理装置３０は、スケジューリング手段３１、記憶手段３２、および送受信手段３３を備えている。スケジューリング手段３１は、スケジュール管理装置３０で複数台のプロジェクタ１０の予約管理を行う。記憶手段３２にて保存されているプロジェクタ１０の予約状況から使用可能なプロジェクタ１０を情報処理端末２０の操作手段２１に表示させるとともに、操作手段２１からの入力に基づいて、指定された日時でプロジェクタ１０を予約する。
【００３７】
記憶手段３２は、プロジェクタ１０の予約状況を示すスケジュール管理情報を記憶する。送受信手段３３は、スケジューリング手段３１によって予約されたプロジェクタ１０に対して、予約された日時を示す予約日時情報、投影用ファイル、およびその他必要な情報を送信する。
【００３８】
プロジェクタ１０は、送受信手段１１、記憶手段１２、表示手段１３、時刻管理手段１４および認証手段１５を備えている。
【００３９】
送受信手段１１は、スケジュール管理装置３０から予約日時情報や投影用ファイルを受信する。記憶手段１２は、送受信手段１１にて受信した予約日時情報や投影用ファイルを記憶する。
【００４０】
表示手段１３は、記憶手段１２に保存された投影用ファイルや、プロジェクタ１０に入力された信号を被投影面に投影表示する。
【００４１】
時刻管理手段１４は、時刻を管理する。認証手段１５により判定が行われる際に、時刻管理手段１４で管理される現在の時刻が参照される。なお、時刻は、時刻管理手段１４が現在の時刻を計測する計時部を有していても、外部の時刻管理手段（ＮＴＰサーバなど）から取得するものであってもよい。
【００４２】
認証手段１５は、記憶手段１２に保存された投影用ファイルにアクセスがされた際に、予約日時情報と現在の時刻から、投影用ファイルへのアクセスを受け付けるかどうか判定する。
【００４３】
（スケジュール管理情報）
図４は、スケジュール管理装置３０の記憶手段３２で記憶されるスケジュール管理情報の一例を示す説明図である。
【００４４】
スケジュール管理情報は、日付、開始時刻、終了時刻、会議名、設備からなる。ここで、日付、開始時刻および終了時刻は、会議が行われる日時を定義する必須の情報（予約日時情報）である。
【００４５】
設備欄は、プロジェクタ１０が複数台ある場合に設けられる。設備欄には、利用するプロジェクタ１０の識別情報が記憶される。
【００４６】
会議名は、任意の項目である。また、スケジュール管理情報として他の項目があってもよい。例えば、別途、識別情報としてネットワーク情報等のデータの送受信のための接続情報や、参加者についての情報が含まれていてもよい。
【００４７】
スケジュール管理装置３０の送受信手段３３は、記憶手段３２に記憶されているスケジュール管理情報から、少なくとも予約日時情報を取得して、これを情報処理端末２０から送信される投影用ファイルとともに、プロジェクタ１０に送信する。
【００４８】
なお、本実施形態では、スケジュール管理装置３０は、投影用ファイルを記憶せず、単に転送するものとしているが、記憶手段３２にて記憶するようにしてもよい。また、スケジュール管理情報には、投影用ファイルを関連づけるためのファイル名などの項目を設けてもよい。
【００４９】
図５は、プロジェクタ１０の記憶手段１２で記憶されるスケジュール管理情報の一例を示す説明図である。
【００５０】
スケジュール管理情報は、日付、開始時刻、終了時刻（予約日時情報）、およびファイル名からなる。プロジェクタ１０の記憶手段では、スケジュール管理装置３０から送信された日時情報と、投影用ファイルのファイル名と、が関連付けて記憶される。
【００５１】
プロジェクタ１０の認証手段１５により、記憶手段１２に記憶される予約日時情報と、時刻管理手段１４から取得する現在時刻と、を比較することで、現在アクセス可能なファイルかどうかが判定される。
【００５２】
（画像表示処理）
本実施形態に係る画像表示システム１が実行する投影用ファイルを投影する画像表示処理のフローチャートを図６に示す。
【００５３】
先ず、ユーザにより情報処理端末２０の操作手段２１が操作されて、スケジュール管理装置３０に対して使用するプロジェクタ１０の予約がなされる（Ｓ１０１）。
【００５４】
Ｓ１０１の処理において、ユーザは、情報処理端末２０の操作手段２１を操作して、使用予定の日時（日付、開始時刻および終了時刻（予約日時情報））を、送受信手段２２を介して、スケジュール管理装置３０に送信する。
【００５５】
スケジュール管理装置３０の送受信手段３３は、これを受信して、スケジューリング手段３１は、記憶手段３２に保存されている予約日時情報を参照して、使用予定の日時に予約可能なプロジェクタ１０を情報処理端末２０の表示部に表示させる。予約可能なプロジェクタ１０が複数ある場合は、複数のプロジェクタ１０が表示させる。
【００５６】
このとき、プロジェクタ１０の予約状況を併せて表示させるようにしてもよい。また、使用予定の日時に予約の入っているプロジェクタ１０の予約状況を併せて表示させるようにしてもよい。この場合、ユーザが使用を希望するプロジェクタ１０に併せて、使用予定日時を調整することができる。
【００５７】
操作手段２１から、予約可能なプロジェクタ１０から使用するプロジェクタ１０が指定されると、情報処理端末２０は、予約されたプロジェクタ１０および予約日時情報を、スケジュール管理装置３０のスケジューリング手段３１に送信する。
【００５８】
予約されたプロジェクタ１０、および予約日時情報を受け取ったスケジューリング手段３１はその情報を記憶手段３２に記憶する。
【００５９】
次いで、情報処理端末２０からスケジュール管理装置３０を介してプロジェクタ１０に対して投影用ファイルが送信される（Ｓ１０２）。
【００６０】
Ｓ１０２の処理では、ユーザは、情報処理端末２０の操作手段２１を操作して、投影用ファイルと予約日時情報と予約したプロジェクタを、送受信手段２２，３３を介して、スケジュール管理装置３０に送信する。
【００６１】
投影用ファイルを受信すると、スケジューリング手段３１は、記憶手段３２が記憶する情報からユーザが利用するプロジェクタ１０（予約されたプロジェクタ１０）を特定し、該当プロジェクタ１０に、投影用ファイルおよび予約日時情報を送信する。
【００６２】
プロジェクタ１０の送受信手段１１は、受信した投影用ファイルおよび予約日時情報を記憶手段１２に記憶する。
【００６３】
なお、情報処理端末２０からスケジュール管理装置３０への投影用ファイルの送信は、プロジェクタの予約（Ｓ１０１）後、予約日時までの任意のタイミングで行うものであればよいが、プロジェクタ１０の予約時（Ｓ１０１）に同時に行うようにしてもよい。この場合、Ｓ１０２では、投影用ファイルのみ送信して、スケジューリング手段３１にて、関連付けるようにすればよい。
【００６４】
また、スケジュール管理装置３０からプロジェクタ１０への投影用ファイルの送信も任意のタイミングで行ってよく、プロジェクタ１０の利用時にプロジェクタ１０からスケジュール管理装置３０へアクセスし取得するようにしてもよく、投影用ファイルの保管場所や送信タイミング等は上記の限りではない。
【００６５】
次いで、ユーザはプロジェクタ１０を利用して、投影用ファイルの投影を行う（Ｓ１０３）。プロジェクタ１０は、投影指示のあった投影用ファイルが、投影可能かどうかを判定する（Ｓ１０４）。
【００６６】
Ｓ１０３，Ｓ１０４では、プロジェクタ１０に対し、ユーザから投影用ファイルの投影指示があった場合、先ず、認証手段１５は時刻管理手段１４から現在の日時を取得する。次に、この現在の日時と、記憶手段１２にて保存されている投影用ファイルの予約日時情報と、を比較し、現在の日時が投影用ファイルの予約日時情報の範囲内（開始時刻〜終了時刻）であるか否かを判定する。
【００６７】
現在の日時が投影用ファイルの予約日時情報の範囲内である場合は、投影用ファイルの投影を許可する（Ｓ１０４：可）。この場合は、表示手段１３は記憶手段１２に保存されている投影用ファイルを投影する（Ｓ１０５）。
【００６８】
一方、現在の日時が投影用ファイルの予約日時情報の範囲外であれば投影を許可しない（Ｓ１０４：不可）。この場合は（Ｓ１０４：不可）、投影用ファイルの投影はなされない（Ｓ１０６）。
【００６９】
認証手段１５により投影用ファイルの投影が許可されない場合は（Ｓ１０６）、情報処理端末２０の表示部に、使用日時の範囲外であるのでファイルの投影を行わない旨の表示（ダイアログボックスなど）を表示するなどして、ユーザに表示が許可されないことを通知することが好ましい。
【００７０】
また、プロジェクタ１０は、予約日時情報で予約された日時以外にアクセス可能な条件を設定可能とすることが好ましい。例えば、予約日時以外の所定の日時にも投影用ファイルのアクセスを可能とするものである。また、パスワード認証等を用いて、所定の権限を有するユーザ（管理者等）については、予約日時に関わらずアクセス可能としてもよい。
【００７１】
また、プロジェクタ１０は、予約日時の経過後は、記憶手段１２に記憶された投影用ファイルを削除するようにすることも好ましい。投影用ファイルの削除により、投影用ファイルが流出するリスクを減らすことができる。
【００７２】
以上説明した本実施形態に係る画像表示システムによれば、予約されたプロジェクタを用いて、予約した時間内であれば、投影用ファイルにアクセスして投影することが可能となっている。したがって、会議の開催時間のみ、その会議の参加者が投影用ファイルを表示可能とすることができ、かつ、パスワード管理を必要とせずに、セキュリティと利便性を兼ね備えたシステムとすることができる。
【００７３】
［第２の実施形態］
以下、本発明に係る画像表示システムの他の実施形態について説明する。なお、上記実施形態と同様の点についての説明は適宜省略する。
【００７４】
図７は、プロジェクタ１０の記憶手段１２で記憶されるスケジュール管理情報の他の例を示す説明図である。第２の実施形態では、投影用ファイルのファイル名と、投影用ファイルについてパスワードを記憶可能としている。
【００７５】
本実施形態では、プロジェクタ１０の記憶手段１２は、スケジュール管理装置３０から送信された予約日時情報と、投影用ファイルのファイル名と、パスワードと、を関連付けたスケジュール管理情報を記憶する。
【００７６】
パスワードは、ユーザが、使用予定の日時や投影用ファイルを送信する際に設定する。なお、パスワードの設定は必須でなく、設定しない場合は、第１の実施形態と同様となる。
【００７７】
なお、パスワードは、ユーザにより設定されるのではなく開始日時になることでプロジェクタ１０の認証手段１５が、所定のアルゴリズムに基づいて自動生成してもよい。この時のパスワード生成方法は、日時やファイル名からランダムで生成する等、特に限られるものではない。また、スケジュール管理装置３０がプロジェクタ１０に予約日時情報および投影用ファイルを送信する際に、スケジュール管理装置３０が生成するものであってもよい。パスワードがユーザ以外により設定される場合は、パスワードを開始日時までに会議の参加者のみが知り得るようにする。
【００７８】
認証手段１５は、予約日時情報と現在の時刻とともに、入力されるパスワードと記憶されているパスワードを比較することで、アクセス可能なファイルかどうかを判定する。
【００７９】
第２の実施形態に係る画像表示システム１で実行される投影用ファイルを投影する画像表示処理のフローチャートを図８に示す。図６と同様の点についての説明は省略する。
【００８０】
先ず、ユーザにより情報処理端末２０の操作手段２１が操作されて、スケジュール管理装置３０に対して使用するプロジェクタ１０の予約がなされる（Ｓ２０１）。
【００８１】
次いで、情報処理端末２０からスケジュール管理装置３０を介してプロジェクタ１０に対して投影用ファイルが送信される（Ｓ２０２）。
【００８２】
Ｓ２０２の処理では、ユーザは、情報処理端末２０の操作手段２１を操作して、投影用ファイルと予約日時情報と予約したプロジェクタ１０と認証のためのパスワードを、送受信手段２２，３３を介して、スケジュール管理装置３０に送信する。
【００８３】
投影用ファイルを受信すると、スケジューリング手段３１は、記憶手段３２が記憶する情報からユーザが利用するプロジェクタ１０を特定し、該当プロジェクタ１０に、投影用ファイル、予約日時情報およびパスワードを送信する。
【００８４】
プロジェクタ１０の送受信手段１１は、受信した投影用ファイル、予約日時情報およびパスワードを記憶手段１２に記憶する。
【００８５】
なお、情報処理端末２０からスケジュール管理装置３０への投影用ファイルの送信、パスワードの設定／送信は、プロジェクタ１０の予約時（Ｓ２０１）またはプロジェクタの予約後、予約日時までの任意のタイミングで行うものであればよい。
【００８６】
また、スケジュール管理装置３０からプロジェクタ１０への投影用ファイルの送信、パスワードの送信も任意のタイミングで行ってよく、プロジェクタ１０の利用時にプロジェクタ１０からスケジュール管理装置３０へアクセスし取得するようにしてもよく、投影用ファイル、パスワードの保管場所や送信タイミング等は上記の限りではない。
【００８７】
次いで、ユーザはプロジェクタ１０を利用して、投影用ファイルの投影を行う（Ｓ２０３）。プロジェクタ１０は、投影指示のあった投影用ファイルが、投影可能かどうかを判定する（Ｓ２０４）。
【００８８】
現在の日時が投影用ファイルの予約日時情報の範囲内である場合は、投影用ファイルの投影を許可する（Ｓ２０４：可）。一方、現在の日時が投影用ファイルの予約日時情報の範囲外であれば投影を許可しない（Ｓ２０４：不可）。この投影用ファイルの投影が許可されない場合は（Ｓ２０４：不可）、投影用ファイルの投影はなされない（Ｓ２０７）。
【００８９】
投影用ファイルの投影が許可される場合は（Ｓ２０４：可）、認証手段１５はさらにパスワードによる認証を行う（Ｓ２０５）。
【００９０】
Ｓ２０５では、認証手段１５は、記憶手段１２に記憶されたスケジュール管理情報から投影用ファイルと関連付けられたパスワードを取得する。また、認証手段１５は、ユーザに、パスワードの入力を促し、パスワードを受け付ける。この時のパスワードの入力は、プロジェクタ１０の操作部、または、情報処理端末２０の操作手段から受け付けるものであればよい。
【００９１】
認証手段１５は、設定されたパスワードとユーザによって入力されたパスワードを比較し、一致する場合（Ｓ２０５：可）、表示手段１３は記憶手段１２に保存されている投影用ファイルを投影する（Ｓ２０６）。一方、パスワードが一致しない場合（Ｓ２０５：不可）、投影用ファイルの投影はなされない（Ｓ２０７）。
【００９２】
以上説明した第２の実施形態に係る画像表示システムでは、予約されたプロジェクタを用いて、予約した時間内であって、かつパスワード認証がされれば、投影用ファイルにアクセスして投影することが可能となっている。第１の実施形態に比べ、セキュリティを向上させることができる。なお、パスワード認証に替えて、ＩＣカードなどを用いた認証を行うようにしてもよい。
【００９３】
［第３の実施形態］
図９（Ａ）は、プロジェクタ１０の記憶手段１２で記憶されるスケジュール管理情報の他の例を示す説明図である。また、図９（Ｂ）はアクセスレベル（Ｌｅｖｅｌ０〜Ｌｅｖｅｌ５）と、アクセスレベルごとに可能な操作内容（投影／取得／編集／閲覧）の一例を示す一覧表である。
【００９４】
第３の実施形態のプロジェクタ１０は、認証手段１５の比較結果によって切り替わるアクセスレベルを記憶する。ここで、アクセスレベルは任意の設定が可能であって、本実施形態では、投影の可否、取得の可否、編集の可否、閲覧の可否を、アクセスレベルに応じて設定するようにしている。なお、アクセスレベルに替えて、各操作内容について個々に操作内容の可否を指定可能としてもよい。また、可否を判断する操作内容も上記の例に限られるものではない。
【００９５】
投影用ファイルに対して表示手段１３や送受信手段１１等から操作要求があった場合に、認証手段１５は、記憶されているアクセスレベルに従って操作の可否を判断する。
【００９６】
第３の実施形態に係る画像表示システム１で実行される投影用ファイルを投影する画像表示処理のフローチャートを図１０に示す。図６と同様の点についての説明は省略する。
【００９７】
先ず、ユーザにより情報処理端末２０の操作手段２１が操作されて、スケジュール管理装置３０に対して使用するプロジェクタ１０の予約がなされる（Ｓ３０１）。
【００９８】
次いで、情報処理端末２０からスケジュール管理装置３０を介してプロジェクタ１０に対して投影用ファイルが送信される（Ｓ３０２）。
【００９９】
Ｓ３０２の処理では、ユーザは、情報処理端末２０の操作手段２１を操作して、投影用ファイルと予約日時情報と予約したプロジェクタ１０とアクセスレベルを、送受信手段２２，３３を介して、スケジュール管理装置３０に送信する。
【０１００】
投影用ファイルを受信すると、スケジューリング手段３１は、記憶手段３２が記憶する情報からユーザが利用するプロジェクタ１０を特定し、該当プロジェクタ１０に、投影用ファイル、予約日時情報およびアクセスレベルを送信する。
【０１０１】
プロジェクタ１０の送受信手段１１は、受信した投影用ファイル、予約日時情報およびアクセスレベルを記憶手段１２に記憶する。
【０１０２】
なお、情報処理端末２０からスケジュール管理装置３０への投影用ファイルの送信、アクセスレベルの設定／送信は、プロジェクタ１０の予約時（Ｓ３０１）またはプロジェクタの予約後、予約日時までの任意のタイミングで行うものであればよい。
【０１０３】
また、スケジュール管理装置３０からプロジェクタ１０への投影用ファイルの送信、アクセスレベルの送信も任意のタイミングで行ってよく、プロジェクタ１０の利用時にプロジェクタ１０からスケジュール管理装置３０へアクセスし取得するようにしてもよく、投影用ファイル、アクセスレベルの保管場所や送信タイミング等は上記の限りではない。
【０１０４】
次いで、ユーザはプロジェクタ１０に対し、投影用ファイルの操作（投影／取得／編集／閲覧）を要求する（Ｓ３０３）。プロジェクタ１０は、操作指示のあった投影用ファイルが、操作可能かどうかを判定する（Ｓ３０４）。
【０１０５】
Ｓ３０４では、認証手段１５は、現在の日時が投影用ファイルの予約日時情報の範囲内である場合は、アクセスレベル（一致時）の操作権限で許された操作であるかどうかを判定する。一方、現在の日時が投影用ファイルの予約日時情報の範囲外であれば、アクセスレベル（不一致時）の操作権限で許された操作であるかどうかを判定する。
【０１０６】
その結果、操作可能である場合（Ｓ３０４：可）、要求された処理に応じた処理を行う（Ｓ３０５）。一方、操作可能ではない場合（Ｓ３０４：不可）、要求された操作を行わない（Ｓ３０６）。要求された操作を行わない場合は（Ｓ３０６）、その旨を表示して、操作権限がないことを通知することが好ましい。
【０１０７】
以上説明した第３の実施形態に係る画像表示システムでは、予約されたプロジェクタを用いて、予約した時間内であるか否かに応じて、可能な操作を制御することができるので、例えば、会議時は投影可能、会議外の時間は閲覧のみ可能といったように、適切なセキュリティを確保することができる
【０１０８】
［第４の実施形態］
ここまで、プロジェクタ１０と、情報処理端末２０と、スケジュール管理装置３０と、がネットワーク４０を介して接続された画像表示システム１について説明した。本実施形態に係る画像表示システム１は、プロジェクタ１０と、情報処理端末２０とが、直接またはネットワークを介して接続されたものである。
【０１０９】
図１１は、画像表示システム１の機能ブロック図であって、投影用ファイルを投影する画像表示処理に係る部分の構成を示すものである。
【０１１０】
情報処理端末２０は、操作手段２１、および送受信手段２２を備えている。操作手段２１は、情報処理端末２０からプロジェクタ１０への会議のスケジュール登録や、プロジェクタ１０への投影用ファイルの送信等を行う際のインターフェースである。送受信手段２２は、投影用ファイルをプロジェクタ１０に対して送信する。
【０１１１】
プロジェクタ１０は、送受信手段１１、記憶手段１２、表示手段１３、時刻管理手段１４、認証手段１５およびスケジューリング手段１６を備えている。
【０１１２】
送受信手段１１は、情報処理端末２０から予約日時情報や投影用ファイルを受信する。記憶手段１２、表示手段１３、時刻管理手段１４および認証手段１５は、第１の実施形態（図３）と同様である。
【０１１３】
本実施形態では、プロジェクタ１０がスケジューリング手段１６を備えている。スケジューリング手段１６は、情報処理端末２０から当該プロジェクタ１０の予約日時情報を受け付ける。また、予約の際の応答を行う。また、記憶手段１２にて、予約日時情報と投影用ファイルは関連付けて記憶される。また、情報処理端末２０に対して、当該プロジェクタ１０の予約日時情報を送信して、表示させることで、ユーザは、プロジェクタ１０の予約状況を認識することができる。
【０１１４】
プロジェクタ１０は、投影用ファイルの投影が指示されると、第１の実施形態と同様の画像表示処理（Ｓ１０３〜Ｓ１０６）により、認証手段１５の判定結果に基づいて、投影可否を判定する。また、パスワード、アクセスレベルを設定可能にしてもよい。
【０１１５】
以上説明した第４の実施形態に係る画像表示システムによれば、情報処理端末とプロジェクタの簡易な構成で、予約した時間内に限り、投影用ファイルにアクセスして投影することが可能な画像表示システムを構成することができる。
【０１１６】
尚、上述の実施形態は本発明の好適な実施の例ではあるがこれに限定されるものではなく、本発明の要旨を逸脱しない範囲において種々変形実施可能である。
【０１１７】
例えば、画像表示装置であるプロジェクタ１０の投影方式は、ＤＬＰ(Digital Light Processing)方式、やＬＣＤ（Liquid Crystal Display）方式、ＬＣＯＳ（Liquid  crystal  on  silicon）方式等、特に限られるものではない。また、光源も、アークランプを用いる例について説明したが、これに限られるものではなく、レーザー光源等を用いてもよい。
【０１１８】
また、上記実施形態では、画像表示装置として被投射面に画像を投影する画像投影装置であるプロジェクタを例として説明したが、画像の表示が可能なディスプレイやテレビ等を画像表示装置として用いてもよく、被投影面に投影することは必須ではない。
【符号の説明】
【０１１９】
１  画像表示システム
１０  プロジェクタ
１１  送受信手段
１２  記憶手段
１３  表示手段
１４  時刻管理手段
１５  認証手段
１６  スケジューリング手段
２０  情報処理端末
２１  操作手段
２２  送受信手段
３０  スケジュール管理装置
３１  スケジューリング手段
３２  記憶手段
３３  送受信手段
４０  ネットワーク
１００  外部Ｉ／Ｆ部
１０１  システム制御部
１０２  音声処理部
１０３  スピーカー
１０４  映像処理部
１０５  光学ユニット制御部
１０６  光学ユニット
１０７  光源制御部
１０８  光源
１０９  電源制御部
１１０  電源
１１１  操作部
１１２  リモコン受信部
１１３  記憶部
１１４  ファン制御部
１１５  ファン
１００１  映像ポート
１００２  音声ポート
１００３  ＵＳＢポート
１００４  ＬＡＮポート
１０１１  ＣＰＵ
１０１２  ＲＯＭ
１０１３  ＲＡＭ
【先行技術文献】
【特許文献】
【０１２０】
【特許文献１】特開２０１１−２０４２３５号公報
【図２】
2016081451.tif 000003
【図４】
2016081451.tif 000004
【図５】
2016081451.tif 000005
【図７】
2016081451.tif 000006
【図９】
2016081451.tif 000007
【図１】
2016081451.tif 000008
【図３】
2016081451.tif 000009
【図６】
2016081451.tif 000010
【図８】
2016081451.tif 000011
【図１０】
2016081451.tif 000012
【図１１】
2016081451.tif 000013